(57)【要約】本発明は導電性ワイヤを複数の列または行に配列し、隣接する二つのワイヤの間を交番に薄膜で封合した後、封合されないワイヤの間に音圧発生装置から発生された音圧を通過させて、ワイヤを薄膜を中心に振動させ通過する音圧を変化させて音声を再生する新たな音圧を用いた音声再生システムに関するものである。【選択図】図４
2004537937.tif 000002
【特許請求の範囲】
【請求項１】
音声信号により音声を再生する音声再生システムにおいて、
音圧を発生させる音圧発生装置；
前記音圧発生装置から発生された音圧が通過できるよう数多い音圧通過ホールを有する第１センターポールヨーク；
前記第１センターポールヨークを少なくとも取り囲んでいるマグネット；
前記第1センターポールヨークを取り囲んで前記マグネットと音圧発生装置の間に配置された第1プレート；
前記第1センターポールヨークと一定間隔を置いて配置された数多い音圧通過ホールを有する第２センターポールヨーク；
前記第２センターポールヨークを取り囲んで、前記マグネットに隣接し配置される第２プレート；
及び前記第１センターポールヨークと第２センターポールヨークの間の一定空間に配置される音圧制御装置を含み；
前記音圧制御装置は単一導電性ワイヤを往復交差配列することにより、隣接する二つのワイヤの間を一つ置いて薄膜で付着してなり；
前期音圧制御装置はワイヤに入力される音声信号による電流によりワイヤに作用する磁界と前記マグネットの固定磁界が相互作用して前記薄膜を中心にワイヤが振動することを特徴とする音圧を用いた音声再生システム。
【請求項２】
前記第1センターポールヨークと第1プレートが一体に形成されるか、又は第２センターポールヨークと第2プレートが一体に形成されることを特徴とする請求項1に記載の音圧を用いた音声再生システム。
【請求項３】
音声信号により音声を再生する音声再生システムにおいて、
（+）音圧を発生させる（+）音圧発生装置；前記音圧発生装置から発生された音圧が通過できるよう数多い（+）音圧通過ホールを有する第１センターポールヨーク；前記第１センターポールヨークを少なくとも取り囲んでいるマグネット；前記第1センターポールヨークを取り囲んで前記マグネットと（+）音圧発生装置の間に配置された第1プレート；前記第1センターポールヨークと一定間隔を置いて配置された数多い（+）音圧通過ホールを有する第２センターポールヨーク；前記第２センターポールヨークを取り囲んで、前記マグネットに隣接し配置される第２プレート；及び前記第１センターポールヨークと第２センターポールヨークの間の一定空間に配置される音圧制御装置を含み；前記音圧制御装置は単一導電性ワイヤを往復交差配列することにより、隣接する二つのワイヤの間を一つ置いて薄膜で封合してなり；
（-）音圧を発生させる（-）音圧発生装置；前記（-）音圧発生装置から発生された（-）音圧が通過できるよう数多い（-）音圧通過ホールを有する第１センターポールヨーク；前記第１センターポールヨークを少なくとも取り囲んでいるマグネット；前記第1センターポールヨークを取り囲んで前記マグネットと（-）音圧発生装置の間に配置された第1プレート；前記第1センターポールヨークと一定間隔を置いて配置された数多い（-）音圧通過ホールを有する第２センターポールヨーク；前記第２センターポールヨークを取り囲んで、前記マグネットに隣接し配置される第２プレート；及び前記第１センターポールヨークと第２センターポールヨークの間の一定空間に配置される音圧制御装置を含み；前記音圧制御装置は単一導電性ワイヤを往復交差配列することにより、隣接する二つのワイヤの間を一つ置いて薄膜で封合してなることを特徴とする音圧を用いた音声再生システム。
【請求項４】
音圧を発生する音圧発生装置；及び導電性ワイヤを複数列または行に配列し、複数列または行の導電性ワイヤの間のうちの一部を薄膜で封合し、複数列または行の導電性ワイヤの間のうち、薄膜で封合されない間に隣接する二つの導電性ワイヤに音声信号電流を印加する際、前記隣接する二つの導電性ワイヤに流れる電流の方向が互いに反対になるよう構成された音圧制御装置を含んで構成され；
前記音圧制御装置の導電性ワイヤに流れる電流により発生する磁界により導電性ワイヤが振動し、前記二つ導電性ワイヤの振動により前記封合されない導電性ワイヤの間の間隔が変化し、音圧発生装置から発生された音圧が前期封合されない間を通過する際、前記間隔の変化により音圧が変化することにより、ワイヤに印加された音声信号が再生されることを特徴とする音圧を用いた音声再生システム。
【請求項５】
音圧を発生する音圧発生装置；導電性ワイヤを複数列または行に配列し、複数列または行の導電性ワイヤの間のうちの一部を薄膜で封合し、複数列または行の導電性ワイヤの間のうち、薄膜で封合されない間に隣接する二つの導電性ワイヤに音声信号電流を印加する際、前記隣接する二つの導電性ワイヤに流れる電流の方向が互いに反対になるよう構成された音圧制御装置；及び前記音圧制御装置に間隔を置いて隣接し配置されたマグネットを含んで構成され；
前記隣接し配置されたマグネットの磁界と前記音圧制御装置の導電性ワイヤに流れる電流により発生する磁界の相互作用により導電性ワイヤが振動し、前記二つの導電性ワイヤの振動により前記封合されない導電性ワイヤの間の間隔が変化し、音圧発生装置から発生された音圧が前期封合されない間を通過する際、前記間隔の変化により音圧が変化することにより、ワイヤに印加された音声信号が再生されることを特徴とする音圧を用いた音声再生システム。
【請求項６】
（+）音圧を発生する音圧発生装置；及び導電性ワイヤを複数列または行に配列し、複数列または行の導電性ワイヤの間のうちの一部を薄膜で封合し、複数列または行の導電性ワイヤの間のうち、薄膜で封合されない間に隣接する二つの導電性ワイヤに音声信号電流を印加する際、前記隣接する二つの導電性ワイヤに流れる電流の方向が互いに反対になるよう構成された(+)音圧制御装置；及び
（-）音圧を発生する（-）音圧発生装置；及び導電性ワイヤを複数列または行に配列し、複数列または行の導電性ワイヤの間のうちの一部を薄膜で封合し、複数列または行の導電性ワイヤの間のうち、薄膜で封合されない間に隣接する二つの導電性ワイヤに音声信号電流を印加する際、前記隣接する二つの導電性ワイヤに流れる電流の方向が互いに反対になるよう構成された（-）音圧制御装置を含んで構成され；
前記（+）または(-)音圧制御装置の導電性ワイヤに流れる電流により発生する磁界により導電性ワイヤが振動し、前記二つの導電性ワイヤの振動により前記封合されない導電性ワイヤの間の間隔が変化し、（+）または(-)音圧発生装置から発生された音圧が前期封合されない間を通過する際、前記間隔の変化により音圧が変化することにより、ワイヤに印加された音声信号が再生されることを特徴とする音圧を用いた音声再生システム。
【請求項７】
（+）音圧を発生する（+）音圧発生装置；導電性ワイヤを複数列または行に配列し、複数列または行の導電性ワイヤの間のうちの一部を薄膜で封合し、複数列または行の導電性ワイヤの間のうち、薄膜で封合されない間に隣接する二つの導電性ワイヤに音声信号電流を印加する際、前記隣接する二つの導電性ワイヤに流れる電流の方向が互いに反対になるよう構成された（+）音圧制御装置；及び前記（+）音圧制御装置に隣接し配置されたマグネット；及び
（-）音圧を発生する（-）音圧発生装置；導電性ワイヤを複数列または行に配列し、複数列または行 の導電性ワイヤの間のうちの一部を薄膜で封合し、複数列または行の導電性ワイヤの間のうち、薄膜で封合されない間に隣接する二つの導電性ワイヤに音声信号電流を印加する際、前記隣接する二つの導電性ワイヤに流れる電流の方向が互いに反対になるよう構成された（-）音圧制御装置；及び前記(-)音圧制御装置に間隔を置いて隣接し配置されたマグネットを含んで構成され；
前記隣接し配置されたマグネットの磁界と前記（+）または(-)音圧制御装置の導電性ワイヤに流れる電流により発生する磁界の相互作用により導電性ワイヤが振動し、前記二つの導電性ワイヤの振動により前記封合されない導電性ワイヤの間の間隔が変化し、（+）または(-)音圧発生装置から発生された音圧が前期封合されない間を通過する際、前記間隔の変化により音圧が変化することにより、ワイヤに印加された音声信号が再生されることを特徴とする音圧を用いた音声再生システム。
【請求項８】
前記音圧制御装置は中央が空いた一定形態の枠に導電性ワイヤを往復交差配列してなることを特徴とする請求項1乃至7のうち、何れか一つの項に記載の音圧を用いた音声再生システム。
【請求項９】
前記薄膜の封合が隣接する二つの導電性ワイヤの間を繋げる平面に対して一定間隔を置いて上部または下部に薄膜支持体を配置して各導電性ワイヤと前記薄膜支持体を薄膜で封合してなることを特徴とする請求項1乃至８のうち、何れか一つの項に記載の音圧を用いた音声再生システム。
【請求項１０】
前記薄膜支持体と導電性ワイヤの間とを封合する薄膜の断面が直平面であることを特徴とする請求項９に記載の音圧を用いた音声再生システム。
【請求項１１】
前記薄膜支持体と導電性ワイヤの間を封合する薄膜の断面が曲面であることを特徴とする請求項９に記載の音圧を用いた音声再生システム。
【請求項１２】
前記薄膜支持体と導電性ワイヤの間を封合する薄膜の断面が少なくとも一つの折曲部を有する平面であることを特徴とする請求項９に記載の音圧を用いた音声再生システム。
【請求項１３】
前記薄膜が生ゴム、ポリエステル、ポリエチレン、シリコーン及びテフロンのうち、少なくとも一つからなることを特徴とする請求項１乃至8のうち、何れか一つの項に記載の音圧を用いた音声再生システム。
【請求項１４】
前記薄膜支持体が薄膜で封合される二つの導電性ワイヤの間を繋げる平面に対して音圧が供給される側面に配置されることを特徴とする請求項９に記載の音圧を用いた音声再生システム。
【請求項１５】
前記音圧制御装置に導電性ワイヤの長さを調節するワイヤテンション調節装置をさらに含むことを特徴とする請求項１乃至8のうち、何れか一つの項に記載の音圧を用いた音声再生システム。
【請求項１６】
前記音圧制御装置に薄膜で封合されない導電性ワイヤの間の間隔を調節するワイヤ間隔調節装置をさらに含むことを特徴とする請求項１乃至8のうち、何れか一つの項に記載の音圧を用いた音声再生システム。
【請求項１７】
前記薄膜で封合されない導電性ワイヤの間の間隔が0 〜 0.5mm範囲で設定されることを特徴とする請求項１乃至8のうち、何れか一つの項に記載の音圧を用いた音声再生システム。
【請求項１８】
前記薄膜で封合されない導電性ワイヤの間の間隔が0.3 〜 0.5mm範囲で設定されることを特徴とする請求項17に記載の音圧を用いた音声再生システム。
【請求項１９】
前記音圧制御装置が複数個であることを特徴とする請求項１乃至8のうち、何れか一つの項に記載の音圧を用いた音声再生システム。
【請求項２０】
前記複数個の音圧制御装置はそれぞれ薄膜で封合されない導電性ワイヤの間の間隔が互いに異なることを特徴とする請求項19に記載の音圧を用いた音声再生システム。
【請求項２１】
前記複数個の音圧制御装置はそれぞれ薄膜で封合される導電性ワイヤの間の間隔が互いに異なることを特徴とする請求項19または20に記載の音圧を用いた音声再生システム。
【請求項２２】
前記音圧制御装置において導電性ワイヤの直径が0.1mm 〜 0.5mmの範囲であることを特徴とする請求項１乃至8のうち、何れか一つの項に記載の音圧を用いた音声再生システム。
【請求項２３】
前記音圧制御装置において導電性ワイヤの材料が銅、金、白金、アルミニウム、鉄のうち、何れか一つからなったことを特徴とする請求項１乃至8のうち、何れか一つの項に記載の音圧を用いた音声再生システム。
【請求項２４】
前記複数列または行の導電性ワイヤの一端で他端の間に少なくとも一部分を固定して複数のセルで構成することを特徴とする請求項１乃至8のうち、何れか一つの項に記載の音圧を用いた音声再生システム。
【請求項２５】
前記薄膜支持体の断面が三角形であることを特徴とする請求項９に記載の音圧を用いた音声再生システム。
【請求項２６】
前記薄膜支持体の断面が四角形であることを特徴とする請求項９に記載の音圧を用いた音声再生システム。
【請求項２７】
前記音圧制御装置の導電性ワイヤが複数で分離されており、それぞれ分離された複数導電性ワイヤに音声信号を同時に印加することを特徴とする請求項１乃至8のうち、何れか一つの項に記載の音圧を用いた音声再生システム。
【請求項２８】
前記導電性ワイヤが多数個からなったことを特徴とする請求項１乃至8のうち、何れか一つの項に記載の音圧を用いた音声再生システム。
【請求項２９】
前記薄膜が繊維糸からなったことを特徴とする請求項１乃至8のうち、何れか一つの項に記載の音圧を用いた音声再生システム。
【請求項３０】
前記薄膜が繊維糸を導電性ワイヤの間を取り囲んだ後、生ゴム、ポリエステル、ポリエチレン、シリコーン及びテフロンのうち、少なくとも一つでコーティングしてなったことを特徴とする請求項29に記載の音圧を用いた音声再生システム。
【請求項３１】
前記薄膜の断面が“Ｕ”字型であることを特徴とする請求項１乃至8のうち、何れか一つの項に記載の音声再生システム。
【請求項３２】
音圧を発生する音圧発生装置；導電性ワイヤを複数列または行に配列し、複数列または行の導電性ワイヤの間のうちの一部を薄膜で封合し、複数列または行の導電性ワイヤの間のうち、薄膜で封合されない間に隣接する二つの導電性ワイヤに音声信号電流を印加する際、前記隣接する二つの導電性ワイヤに流れる電流の方向が互いに反対になるよう構成された音圧制御装置；及び前記音圧制御装置に間隔を置いて隣接し配置され、多数の音圧通過孔を備えたマグネットを含んで構成され；
前記隣接し配置されたマグネットの磁界と前記音圧制御装置の導電性ワイヤに流れる電流により発生する磁界の相互作用により導電性ワイヤが振動し、前記二つ導電性ワイヤの振動により前記封合されない導電性ワイヤの間の間隔が変化し、音圧発生装置から発生された音圧が前期封合されない間を通過する際、前記間隔の変化により音圧が変化することにより、ワイヤに印加された音声信号が再生されることを特徴とする音圧を用いた音声再生システム。
【請求項３３】
前記音圧通過孔は円形状または多角形状で形成されたことを特徴とする請求項32に記載の音圧を用いた音声再生システム。
【請求項３４】
前記音圧通過孔は長いスロットで形成されたことを特徴とする請求項32に記載の音圧を用いた音声再生システム。
【請求項３５】
前記音圧通過孔は入口側より出口側がさらに広いことを特徴とする請求項32に記載の音圧を用いた音声再生システム。
【請求項３６】
前記音圧通過孔は入口側より出口側へ行けば行くほど段々さらに狭くなるよう形成されたことを特徴とする請求項32に記載の音圧を用いた音声再生システム。
【請求項３７】
前記音圧通過孔は入口側または出口側の角がラウンド処理されたことを特徴とする請求項32に記載の音圧を用いた音声再生システム。
【請求項３８】
音圧を発生する音圧発生装置；導電性ワイヤを複数列または行に配列し、複数列または行の導電性ワイヤの間のうちの一部を薄膜で封合し、複数列または行の導電性ワイヤの間のうち、薄膜で封合されない間に隣接する二つの導電性ワイヤに音声信号電流を印加する際、前記隣接する二つの導電性ワイヤに流れる電流の方向が互いに反対になるよう構成された音圧制御装置；及び多数の音圧通過孔を備えた支持板上に前記音圧通過孔周囲に多数のマグネット片を付着し形成されたマグネット組立体を含んで構成され；
前記隣接し配置されたマグネットの磁界と前記音圧制御装置の導電性ワイヤに流れる電流により発生する磁界の相互作用により導電性ワイヤが振動し、前記二つの導電性ワイヤの振動により前記封合されない導電性ワイヤの間の間隔が変化し、音圧発生装置から発生された音圧が前期封合されない間を通過する際、前記間隔の変化により音圧が変化することにより、ワイヤに印加された音声信号が再生されることを特徴とする音圧を用いた音声再生システム。
【請求項３９】
前記マグネット組立体は前記マグネット片それぞれに前記支持板の音圧通過孔と類似した形状の第2の音圧通過孔を形成し、前記支持板の音圧通過孔とマグネットの第2の音圧通過孔を互いに相応するようマグネット片を支持板上に付着して構成されることを特徴とする請求項38に記載の音圧を用いた音声再生システム。
【請求項４０】
前記支持板が曲面形状であることを特徴とする請求項38または39に記載の音圧を用いた音声再生システム。
【請求項４１】
前記支持板が凹凸面形状であることを特徴とする請求項38または39に記載の音圧を用いた音声再生システム。
【請求項４２】
前記支持板がドーム形状、円筒形状または球形状であることを特徴とする請求項38または39に記載の音圧を用いた音声再生システム。
【請求項４３】
前記マグネット片を支持板両面に付着されることを特徴とする請求項38または39に記載の音圧を用いた音声再生システム。
【請求項４４】
音圧を発生する音圧発生装置；
前記音圧発生装置から発生された音圧の通路役割をする容器であって、音圧を排出するか、または吸入するように一部が開放されている容器；
導電性ワイヤを複数列または行に配列し、複数列または行の導電性ワイヤの間のうちの一部を薄膜で封合し、複数列または行の導電性ワイヤの間のうち、薄膜で封合されない間に隣接する二つの導電性ワイヤに音声信号電流を印加する際、前記隣接する二つの導電性ワイヤに流れる電流の方向が互いに反対になるよう構成され、前記容器の開放された部分に付着される音圧制御装置；及び
前記音圧制御装置に間隔を置いて隣接し配置されたマグネットを含み；
前記隣接し配置されたマグネットの磁界と前記音圧制御装置の導電性ワイヤに流れる電流により発生する磁界の相互作用により導電性ワイヤが振動し、前記二つの導電性ワイヤの振動により前記封合されない導電性ワイヤの間隔が変化し、音圧発生装置から発生された音圧が前期封合されない間を通過する際、前記間隔の変化により音圧が変化することにより、ワイヤに印加された音声信号が再生されることを特徴とする音圧を用いた音声再生システム。
【請求項４５】
前記容器が円筒形で形成され、前記容器が円筒縁全体にかけて一定幅に開放され、前記音圧制御装置が円筒形状で形成され、前記マグネットが円筒形で形成され、音圧発生装置から発生された音圧が放射状に排出または吸入されることを特徴とする請求項44に記載の音圧を用いた音声再生システム。
【請求項４６】
前記容器が円筒形で形成され、前記容器が円筒縁の1/2にかけて一定幅で開放され、前記音圧制御装置が半円筒形状で形成され、前記マグネットが半円筒形で形成され、音圧発生装置から発生された音圧が前記容器の円筒形曲面の1/2の部分を通って放射状に排出または吸入されることを特徴とする請求項44 に記載の音圧を用いた音声再生システム。
【請求項４７】
前記容器が円筒形で形成され、前記容器は半円曲面に一定幅で開放され、前記音圧制御装置が円筒形状で形成され、前記マグネットが半円筒形で形成され、音圧発生装置から発生された音圧が前記容器の半円筒形曲面を通って放射状に排出または吸入されることを特徴とする請求項44に記載の音圧を用いた音声再生システム。
【請求項４８】
前記容器が多角形で形成され、前記容器は多角形の各平面に一定幅で開放され、前記音圧制御装置が平面形状で形成され、前記マグネットが平面形で形成され、音圧発生装置から発生された音圧が各平面に排出または吸入されることを特徴とする請求項44に記載の音圧を用いた音声再生システム。
【請求項４９】
前記音圧制御装置がドーム形状で形成され、前記マグネットがドーム形で形成され、音圧発生装置から発生された音圧がドーム状曲面を通って放射状に排出または吸入されることを特徴とする請求項44に記載の音圧を用いた音声再生システム。
【請求項５０】
前記マグネットが多数の音圧通過孔を備えた支持板上に前記音圧通過孔周囲に多数のマグネット片を付着し形成したマグネット組立体であることを特徴とする請求項44乃至49のうち、何れか一つの項に記載の音圧を用いた音声再生システム。
【請求項５１】
前記容器の内部は互いに連通された多数区域に分割されて音圧の通路を延長させたことを特徴とする請求項44に記載の音圧を用いた音声再生システム。
【請求項５２】
前記音圧発生装置はファンが付着されたモーターまたはソレノイドからなったことを特徴とする請求項42に記載の音圧を用いた音声再生システム。
【請求項５３】
前記ファンが長い支持軸の長さ方向に付着された長い羽からなったことを特徴とする請求項52に記載の音圧を用いた音声再生システム。
【請求項５４】
前記音圧発生装置はファンが付着されたモーターまたはソレノイドを多数個一列に配置し構成することを特徴とする請求項44に記載の音圧を用いた音声再生システム。
【請求項５５】
前記音圧発生装置は一定空間内で往復運動する空気圧縮部、前記空気圧縮部を往復運動させる駆動部、前記空気圧縮部が一方向に前進する際、圧縮された空気（音圧）を前記一定空間の外に排出する排出バルブ及び前記空気圧縮部が反対方向に後退する際、外部空気を前記一定空間内に吸入する吸入バルブからなることを特徴とする請求項44に記載の音圧を用いた音声再生システム。
【請求項５６】
前記空気圧縮部が一方向に前進する際、圧縮された空気（音圧）を前記一定空間の外に排出する第1の排出バルブと前記空気圧縮部の進行方向反対側空間に外部空気を吸入する第1の吸入バルブ及び前記空気圧縮部が反対方向に後退する際、圧縮された空気（音圧）を前記一定空間の外に排出する第２の排出バルブと空気圧縮部の進行方向反対側空間に外部空気を吸入する第２の吸入バルブからなることを特徴とする請求項55に記載の音圧を用いた音声再生システム。
【請求項５７】
前記音圧発生装置が多数個で構成されることを特徴とする請求項55または56に記載の音圧を用いた音声再生システム。
【請求項５８】
前記モーターやソレノイドを紐を用いて空間に浮かべて装着することを特徴とする請求項55または56に記載の音圧を用いた音声再生システム。
【請求項５９】
前記紐が弾性体であることを特徴とする請求項58に記載の音圧を用いた音声再生システム。
【請求項６０】
前記紐が複数の紐からなることを特徴とする請求項58に記載の音圧を用いた音声再生システム。
【請求項６１】
前記容器内部または容器の多数に分割された区域内面に吸音材が付着されたことを特徴とする請求項44または49に記載の音圧を用いた音声再生システム。
【請求項６２】
前記ワイヤが薄膜上に印刷されたワイヤであることを特徴とする請求項1、請求項2乃至8、請求項32、請求項38及び請求項44のうち, 何れか一つの項に記載の音声再生システム。
【発明の詳細な説明】
【技術分野】
【０００１】
本発明は音圧の制御による音声再生システムに関わり、さらに詳細には固定永久磁石とワイヤに流れる電流によるワイヤ磁界が相互作用し発生するワイヤ振動による音圧制御を通した音声再生システムに関するものである。
【背景技術】
【０００２】
音とは空気の振動、即ち、小さい圧力の変化であることで、このような振動による圧力変化の原理を用いて音を再生するのが音声再生装置、即ち、スピーカの原理である。
【０００３】
一般に音声再生システムは多様な種類のものが多数提案されているが、形態によって分類すれば、コーン(Corn)形、ドーム(Dome)形、ホーン(Horn)形等に分類されるコイン形スピーカ、前記コイン形スピーカとは異なり、振動板が全面駆動になって主にツィーター(tweeter)として用いられるリボン形スピーカ、狭い間隔で二つの電極を設けて静電気の力で吸引、反発し動作するスピーカ、ピエゾ効果を用いたハイポリマ(high polymer)スピーカなどがあり、これらを再び周波数特性により分類すると低音専用のスピーカユニットであるウーファ、中音専用のスピーカユニットであるスコカ(squawker)またはミッドレンジ及び高音専用のスピーカユニットであるツィーター等が挙げられる
一般的スピーカの構造を理解するために代表的に用いられるコーン形スピーカの構造を例えて説明する。
【０００４】
図1は、一般的コーン形スピーカの一例を示した断面図である。
【０００５】
即ち、スピーカ（10）は振動板（11）とセンターキャップ（12）が形成されたフレーム（13）の下側には中央部にセンターポールヨーク（15）が備えられたプレート（14）が配置され、前記プレート（14）の外周面にはマグネット（16）が備えられる。
【０００６】
また、フレーム（13）の内側と振動板（11）の内側の間にはダンパ（17）が備えられ、振動板（11）の内周面にはボイスコイル（18）の上段部が繋げられ、その下段部は前記プレート（14）の内周面とセンターポールヨーク（15）の外周面の間に位置される。
【０００７】
また、前記フレーム（13）の適当な所には音声信号が入力される入力端子（19）が備えられる。
【０００８】
従って、前期入力端子（19）に電気的音声信号が入力されるとボイスコイル（18）に電流が流れることになってセンターポールヨーク（15）とプレート（14）、そしてマグネット（16）は磁気回路を形成することになり、磁気回路により形成された磁場の影響で前記ボイスコイル（18）は前記センターポールヨーク（15）の外周面を中心に上下に振動することになる。
【０００９】
前記のような原理によりボイスコイル（18）が上側に動作されると前記振動板（11）がボイスコイル（18）の動作により上側に移動することになり、“+”音圧が発生することになり、ボイスコイル（18）が下側に動作されると前記振動板（11）がボイスコイル（18）の動作により下側に移動することになり、“-”音圧が発生することになり、図2に示された再生波形曲線のようになり、周波数範囲が大略20Hz 〜 20KHz程度である際に初めて音として耳に感知されることが出来る。
【００１０】
しかし、前記のような一般的構造のスピーカにおいては次のような一番先行しなければならない解決の問題点がある、
即ち、前述した動作原理によりスピーカの音響が外部に放射される際、音響はダンパ（17）と振動板（11）、そしてセンターキャップ（12）を通して外部に放射されるが、このような一連の動作を進行し、音響が外部に放射される間にダンパ（17）と振動板（11）、そしてセンターキャップ（12）では振動とそれに従う振動音が誘発される問題点があった。
【００１１】
前記のようにダンパ（17）と振動板（11）、そしてセンターキャップ（12）から発生される振動音はスピーカを通して外部に放射される再生音と混合され、結局、スピーカから音響が発生する際、雑音が混ざって出てくる要因になって、そのような要因はスピーカの質を判断する尺度になっている。
【００１２】
それだけでなく、前述したように、ダンパ（17）と振動板（11）、そしてセンターキャップ（12）から発生される振動によりダンパ（17）と振動板（11）、そしてセンターキャップ（12）は慣性の影響によって電気的信号を機械的振動に変換する過程で過度特性(transient characteristics)が悪くなる要因になっている。
【００１３】
このような問題を解決するため、本出願人は図3に示したように、公告番号1992−2443号に開示された音声再生システムを提案したことがある。このシステムは、上下に通じるよう三つの房を有するシリンダー（28）と、前記シリンダー（28）の中空内に水平に内在される振動子（25）と、前記振動子（25）の一側に固定設けられるセンターポールヨーク（21）、プレート（32）及びマグネット（23）からなった磁気回路と、前記振動子（25）の中央外周面(25’)の左右側ゲートと、前記シリンダー（28）の内部左右壁面と、前記シリンダー（28）の左側に繋げられた高圧タンク（29）と、前記シリンダー（28）の右側に繋げられた低圧タンク（29）と、前記シリンダー（28）の上部中央開口部に一体化され設けられたホーン（27）を備えて一対の入力端子（23）、(23’)に音声信号電圧が印加される際、音声信号電圧により前記振動子（25）の左右ゲートが変位されて前記シリンダー（28）の内部壁面を開閉させることにより前記内部壁面を介して送り出される音圧の量を制御するものである。
【００１４】
しかしながら、このようなシステムは従来の一般的コーン形スピーカに比べて音質上優秀な再生効果が得られるが、音声信号電圧によって前記振動子（25）を精密に制御するためには振動子等を精密に製作しなければならないだけでなく、その構造的特徴により超精密制御にはある程度限界がある。結局、このような問題点はスピーカを大量生産できる余地を無くしてスピーカの製作費用を増加させることになる。従って、高音質スピーカの大衆化を阻害する要因になっている。
【発明の開示】
【００１５】
従って、本発明の目的は前述した問題点を解決するためのものとして、高音質の再生が可能で、大量生産に適した新たな構造の音声再生システムを提供することにある。
【００１６】
本発明の一つの目的は無指向性音声再生装置を提供することにある。
【００１７】
本発明のもう一つの目的は騒音を防止できる音圧発生装置を備えた音声再生装置を提供することにある。
【００１８】
前記の目的を達成するための本発明の技術的解決手段は、音声信号により音声を再生する音声再生システムにおいて、音圧を発生させる音圧発生装置；前記音圧発生装置から発生された音圧が通過できるよう数多い音圧通過ホールを有する第１センターポールヨーク；前記第１センターポールヨークを少なくとも取り囲んでいるマグネット；前記第1センターポールヨークを取り囲んで前記マグネットと音圧発生装置の間に配置された第1プレート；前記第1センターポールヨークと一定間隔を置いて配置された数多い 音圧通過ホールを有する第２センターポールヨーク；前記第２センターポールヨークを取り囲んで、前記マグネットに隣接し配置される第２プレート；及び前記第１センターポールヨークと第２センターポールヨークの間の一定空間に配置される音圧制御装置を含み；前記音圧制御装置は単一導電性ワイヤを往復交差配列して、隣接する二つのワイヤの間を一つ置いて薄膜で付着してなり；前期音圧制御装置のワイヤに入力される音声信号による電流によりワイヤに作用する磁界と前記マグネットの固定磁界が相互作用して前記薄膜を中心にワイヤが振動することを特徴とする。
【００１９】
前記第1センターポールヨークと第1プレートが一体に形成されるか、又は第２センターポールヨークと第2プレートが一体に形成されるのが音圧の漏洩防止や組立側面でより好ましい。
【００２０】
また、前記音圧制御装置は中央が空いている一定形態の枠に導電性ワイヤを往復交差配列してなる。
【００２１】
前記薄膜は生ゴム、ポリエステル、ポリエチレン及びテフロンのうち、少なくとも一つからなることがよい。
【００２２】
本発明による音声再生システムは(+)音圧と(-)音圧に区分してシステムで製作するのが好ましい。
【００２３】
本発明の異なる技術的解決手段は、音圧を発生する音圧発生装置；導電性ワイヤを複数列または行に配列し、複数列または行の導電性ワイヤの間のうちの一部を薄膜で封合し、複数列または行の導電性ワイヤの間のうちの一部を薄膜で封合されない間に隣接する二つの導電性ワイヤに音声信号電流を印加する際、前記隣接する二つの導電性ワイヤに流れる電流の方向が互いに反対になるよう構成された音圧制御装置；及び前記音圧制御装置に間隔を置いて隣接し配置されたマグネットを含んで構成され；前記隣接して配置されたマグネットの磁界と前記音圧制御装置の導電性ワイヤに流れる電流により発生する磁界の相互作用により導電性ワイヤが振動し、前記二つ導電性ワイヤの振動により前記封合されない導電性ワイヤの間の間隔が変化し、音圧発生装置から発生された音圧が前期封合されない間を通過する際前記間隔の変化により音圧が変化することにより、ワイヤに印加された音声信号が再生されることを特徴とする。
【００２４】
本発明のもう一つの技術的解決手段は、音圧を発生する音圧発生装置；導電性ワイヤを複数列または行に配列し、複数列または行の導電性ワイヤの間のうちの一部を薄膜で封合し、複数列または行の導電性ワイヤの間のうち、薄膜で封合されない間に隣接する二つの導電性ワイヤに音声信号電流を印加する際、前記隣接する二つの導電性ワイヤに流れる電流の方向が互いに反対になるよう構成された音圧制御装置；及び前記音圧制御装置に間隔を置いて隣接し配置され、多数の音圧通過孔を備えたマグネットを含んで構成され；前記隣接して配置されたマグネットの磁界と前記音圧制御装置の導電性ワイヤに流れる電流により発生する磁界の相互作用により導電性ワイヤが振動し、前記二つの導電性ワイヤの振動により前記封合されない導電性ワイヤの間の間隔が変化し、音圧発生装置から発生された音圧が前期封合されない間を通過する際、前記間隔の変化により音圧が変化することにより、ワイヤに印加された音声信号が再生されることを特徴とする。
【００２５】
本発明のもう一つの技術的解決手段は、音圧を発生する音圧発生装置；前記音圧発生装置から発生された音圧の通路役割をする容器、この容器には音圧を排出するか、或いは吸入する一部が開放されており；導電性ワイヤを複数列または行に配列し、複数列または行の導電性ワイヤの間のうちの一部を薄膜で封合し、複数列または行の導電性ワイヤの間のうち、薄膜で封合されない間に隣接する二つの導電性ワイヤに音声信号電流を印加する際、前記隣接する二つの導電性ワイヤに流れる電流の方向が互いに反対になるよう構成され、前記容器の開放された部分に付着される音圧制御装置；及び前記音圧制御装置に間隔を置いて隣接し配置されたマグネットを含み；前記隣接して配置されたマグネットの磁界と前記音圧制御装置の導電性ワイヤに流れる電流により発生する磁界の相互作用により導電性ワイヤが振動し、前記二つ導電性ワイヤの振動により前記封合されない導電性ワイヤの間の間隔が変化し、音圧発生装置から発生された音圧が前期封合されない間を通過する際、前記間隔の変化により音圧が変化することにより、ワイヤに印加された音声信号が再生されることを特徴とする。
【発明を実施するための最良の形態】
【００２６】
以下では、前記の目的を達成する本発明の好ましい実施例を添付された図面を参照して詳細に説明する。
【００２７】
図４には、本発明による音声再生システムが設けられた状態を示した断面図が図示されている。
【００２８】
図4に示された音圧を発生させる音圧発生装置（20）は高圧または低圧ポンプ(図示されず)により空気圧を貯蔵するタンク形態のシリンダーを含み、このシリンダーの開口に数多い音圧通過ホールを有する第1センターポールヨーク（51）が付着される。また、永久磁石のようなマグネット（30）が第1センターポールヨーク（51）を少なくとも取り囲むよう配列され、マグネット（30）と音圧発生装置（20）の間には鉄からなった第1プレート（50）が配置されてマグネット（30）から流れる磁界の流れを第1センターポールヨーク（51）側に伝達する役割をする。
【００２９】
前記第1センターポールヨーク（51）と一定間隔を数多い音圧通過ホールを有する第２センターポールヨーク（61）が配列され、この第２センターポールヨーク（61）を取り囲んで前記マグネット（30）上に配列された鉄(Fe)からなった第２プレート（60）が配列される。同様に、第2プレートはマグネット（30）から流れる磁界の流れを第２センターポールヨーク（61）側に伝達する役割をする。
【００３０】
前記第1センターポールヨークと第1プレートが一体に形成されるか、前記第2センターポールヨークと第2プレートが一体に形成されるのが別途に分離し形成するのより製作及び音圧漏洩防止の面でさらに好ましい。
【００３１】
前述した第1センターポールヨーク（51）と第2センターポールヨークの間の一定間隔には本発明により制作された音圧制御装置（40）が接触されない状態で配置される。
【００３２】
図5は音圧制御装置を詳細に示した図面で、0.1 〜 0.5mm程度直径の長い単一導電性ワイヤ（44）をジグザグ形態で往復配列し、隣接する二つのワイヤを生ゴム、ポリエステル、ポリエチレン、シリコーン等の弾性を有する薄膜（45）で隣接する二つワイヤの間を一つ置いて封合してなる。
【００３３】
この際、導電性ワイヤ（44）の直径は可能な限り、小さいほうがワイヤの振動に有利であるが、小さすぎるとインピーダンスが極めて大きくなる短所がある。従って、インピーダンスを勘案して導電性ワイヤ材料を金、白金、銅、アルミニウム、鉄等を適当に選択することが好ましい。また、図17に示されたように、0.01 〜 0.05mm程度の多数個ワイヤをひねって用いるとワイヤ振動による自体騒音を防止できる長所がある。
【００３４】
また、薄膜は必ず弾性体である必要はなく、テフロンのような非弾性体薄膜を使用しながら、ワイヤの引張力による弾性復元力を用いても可能である。薄い薄膜を１mm間隔で多数個形成することは薄膜が厚くなりすぎるか、または耐久性問題を惹起することも出来る。従って、図18に示されたようにシルクのような極めて細い繊維で封合しなければならない導電性ワイヤの間を封合するか、若しくは図19に示されたように封合しなければならない導電性ワイヤの間を疎らに取り囲んだ後、生ゴム、ポリエステル、ポリエチレン、シリコーン等をスプレー法でコーティングし封合することも可能である。
【００３５】
反面に、薄膜（45）で封合されない部分の隣接した二つのワイヤは互いに接触した状態または若干の間隔、例えば、0.1 〜 0.5mm程度離れている。この際、前記薄膜（45）で封合されない部分の隣接した二つのワイヤの間の間隔は振幅が大きい低音再生を円滑にするためにはワイヤが十分振動できるように0.3 〜 0.5mm程度離れているのが好ましい。
【００３６】
特に、薄膜（45）で封合されない部分の隣接した二つのワイヤが互いに接触しているとワイヤ振動時、摩擦による騒音の原因になりうる。このように形成されたワイヤは中央が開放された枠の縁に往復交差配列されたワイヤ（44）の終段が固定されて音圧制御装置（40）を形成する。
【００３７】
以下、本発明による音声再生システムの動作を添付された図面を参照しながら、説明する。
【００３８】
オーディオシステムに電源を印加すると、前記音圧発生装置（20）のシリンダーに高圧ポンプまたは低圧ポンプ(図示されず)により音圧が供給され、この音圧は第1センターポールヨーク（51）の音圧通過ホールを通過する。この際、音圧制御装置（40）の薄膜で封合されないワイヤがマグネットの固定磁界とワイヤに印加する音声信号により流れる電流による磁界の相互作用により振動し、この振動により薄膜で封合されないワイヤの間の間隔が変化してこの間隔を通過する音圧が変化する。このように変化された音圧が第２センターポールヨーク（61）に供給される。
【００３９】
図5を参照して音圧制御装置（40）のワイヤ振動作用について詳細に説明すると次の通りである。音圧制御装置（40）のワイヤは音声信号電圧が入力端子（43）に印加されるにつれ振動することになるが、振動する方向は薄膜（45）によって繋げられた二つのワイヤが薄膜（45）を圧縮する方向になされる。この原理は図5に示されたようにマグネット（30）により形成される固定磁界(図面で (n)、(s))とワイヤに印加された電流により発生された磁界が相互作用してなる。
【００４０】
図5において、(n)は第２プレート（60）と第2センターポールヨークを通して伝達された磁界成分で、(s)は第1プレート（50）と第1センターポールヨーク（51）を通して伝達された磁界成分である。また、導電性ワイヤ（44）周辺に形成される磁界はワイヤに流れる電流によって形成されるが、マグネット（30）の磁界成分(n)に隣接したワイヤ磁界はＮ、Ｓとして同じ極性は押し合い、異なる極性は引き合うようになる。即ち、マグネット（30）磁界は固定で、ワイヤは薄膜を圧縮する方向に移動可能であるので、マグネットの固定磁界とワイヤに流れる電流による磁界が相互作用してワイヤに流れる電流によってワイヤが薄膜を圧縮するよう動作する。
【００４１】
この際、薄膜（45）により繋げられた異なるワイヤは単一ワイヤの往復配列により電流方向が反対であるので、ワイヤ周辺に形成される磁界も反対に形成される。従って、図6bに示されたように、ワイヤは薄膜を圧縮する方向にワイヤが振動することになり、薄膜（45）により封合されないワイヤの間（42）の間隔(Ｓ)は変化することになる。
【００４２】
言い換えれば、図6aのように音声信号印加前には互いに接触または若干の間隔（Ｓ）を置いてから、音声信号が入力端子（43）を通して加えられると図6bのようにワイヤ（44）が薄膜（45）を圧縮する方向に振動することにより、封合されないワイヤの間（42）の間隔Ｓが間隔S’に変化され第1センターポールヨーク（51）から入力された音圧が変化されて第２センターポールヨーク（61）に伝達される。この際、伝達される音圧の変化はワイヤに加えられる音声信号により異なることになり、音声信号により音圧を精密に制御することが可能である。このような音圧の変化は音で再生されることになる。
【００４３】
本発明のシステムにおいては、図7に示されたように、（+）音圧に対するシステムと(-)音圧に対するシステムに分離製作して一つの音声再生システムを構成し、入力端子を通して印加される音声信号は（+）音圧または(-)音圧単一信号だけ印加できる。しかし、実際薄膜の弾性力により圧縮されたワイヤが十分速く振動移転状態に復帰することが好ましいが、これらは設計者の意図により図2に示されたように、（+）音圧システムに若干の(-)音圧成分を印加してその弾性力による復帰を支援するよう設計することも可能である。ここで、（+）音圧とは音圧が音声再生装置から外部へ排出されることであり、(-)とは外部から音声再生装置へ吸入されることを意味する。
【００４４】
図8及び図9はそれぞれ本発明の異なる実施例による音声再生システムの構造及び音圧制御装置の分解図を示した図として、導電性ワイヤ（44）を中央が開放されたフレーム（41）に複数列または行に配列し、複数列または行の導電性ワイヤの間のうち、一つ置いて薄膜(45)で封合し、複数列または行の導電性ワイヤの間のうち、薄膜で封合されない間(42)に隣接する二つの導電性ワイヤに音声信号電流を印加する際、前記隣接する二つの導電性ワイヤに流れる電流の方向が互いに反対になるよう音圧制御装置を構成し、前記音圧制御装置(40)に間隔を置いてマグネット(30)を隣接し配置して構成する。この際、音圧発生装置（20）はマグネット（30）または音圧制御装置（40）に音圧が漏洩されないようシーリング(sealing)しなければならない。
【００４５】
図8に示された音声再生システムにおいての音声再生原理は図4乃至図6に示された構造と類似である。ただし、マグネット（30）による磁界をセンターポールヨークを通して誘導しないという点が違うだけである。
【００４６】
結果的に、図6a及び6bに示されたように、前記マグネット（30）の固定磁界と前記音圧制御装置（40）の導電性ワイヤに流れる電流により発生する磁界の相互作用により導電性ワイヤが振動し、前記二つ導電性ワイヤの振動により前記封合されない導電性ワイヤの間の間隔が変化し、音圧制御装置（40）から発生された音圧が前期封合されない間を通過する際、前記間隔の変化により音圧が変化することにより、ワイヤに印加された音声信号が再生されるのである。
【００４７】
この際、図8に示された音声再生システムを図７に示されたように、（+）音圧と(-) 音圧に分離構成して一つの音声再生システムを構成することが出来る。
【００４８】
図10は、本発明による音圧制御装置(40)の異なる構造を示す図として、隣接する二つの導電性ワイヤの間を繋げる平面に対して一定間隔を置いて上部または下部に薄膜支持体(46)を配置し、各導電性ワイヤ（44）と前記薄膜支持体(46)の間を薄膜（45）で封合する構造である。
【００４９】
この際、薄膜支持体(46)はワイヤの間の平面を基準に音圧が供給される側面に形成することが好ましい。なぜならば、音圧は薄膜支持体(46)の間を通して供給されるので、音圧が広い部分から狭い部分へ進行する際は騒音が発生しないが、逆に、狭い空間から広い空間へ音圧が変化すると騒音が発生する。
【００５０】
図6aに示された構造の平面構造で封合された薄膜が長さ方向に長くて、その幅は約0.8mm程度で極めて小さいので、磁界の相互作用による薄膜の圧縮は極めて大きい力を必要とするために振幅の小さい中高音再生ではその特性上大きい問題はないが、振幅の大きい超低音の音声再生に若干問題が発生する。しかし、図9に示された構造（以下、翼構造と呼ぶ）は振動する方向が薄膜平面と同一な方向に圧縮するのでなく、薄膜平面に対して一定角度を有して振動するので、若干の力だけでも振動が可能な長所がある。
【００５１】
図11a乃至11cは、図10においての翼構造(wing shape)ユニットの断面形状を示した図として、曲面、直平面、折曲部を有する平面で製作することが可能である。この際、ワイヤ（44）の振動の容易性側面で薄膜（45）平面に対してワイヤが直角（90度）に振動できるよう構成するのが好ましい。  図11dに図示されているごとく、図6Aの薄膜の断面構造は“U”字型と定義されるため、ワイヤを容易に振動させることができる。
【００５２】
図12a及び12bは薄膜支持体(46)の断面形状を示したもので、円形よりは三角形及び四角形の断面を有するのが薄膜の封合時より容易にすることが出来る。
【００５３】
図5に示された音圧制御装置(40)で導電性ワイヤの全体的テンションは一定でなければならない。なぜならば、導電性ワイヤのテンションが一定でないと、磁界の相互作用によるワイヤの振動が全体的に不均衡になるので、音声再生品質を大きく左右する。図13は、このような問題を解決するための 音圧制御装置(40)でワイヤのテンションを調節する装置(70)の一例を示した図である。
【００５４】
図13において、ワイヤの一端付近でワイヤ延長方向を横切る押さえ具(71)、前記押さえ具(71)を下向移動させるために押さえ具端部に形成された平面螺旋山(72)、前記平面螺旋山(72)に噛み合う歯車(73)からなる。従って、歯車(73)の回転運動で平面螺旋山(72)を直線運動させることが出来るので、押さえ具(71)を上下に移動させることが可能である。
【００５５】
前述した導電性ワイヤ（44）のテンションと共に薄膜（45）で封合されないワイヤの間の間隔も全体的に一定でなければならない。なぜならば、音圧は薄膜（45）で封合されないワイヤの間を通過して音圧が変化するので、全体的に間隔が同一でないと再生される音声の品質が不均一になり、その差による音は騒音で作用することが出来る。
【００５６】
図14は、薄膜で封合されないワイヤの間の間隔を調節する装置(80)を示した図として、ワイヤ延長方向に垂直に配列された二つの支持台（81，82）を配列し、各支持台(81，82)には薄膜で封合されないワイヤの間毎に嵌めこむことが出来るよう突起(83)を形成して各支持台（81，82）を互いに反対方向に移動させてワイヤ間隔を調節できるよう構成する。
【００５７】
図13及び図14に示されたワイヤテンション調節装置(70)及びワイヤ間隔調節装置(80)の構成は単に一つの例として示したもので、多様な形態の構成が可能である。
【００５８】
図15は、本発明による音声再生システムのもう一つの実施例を示した図として、単一音圧発生装置（20）に三つの音圧制御装置（40−4，40−2，40−3）を配列した構造である。三つの音圧制御装置（40−1，40−2，40−3）それぞれは同一な形態で構成して全体的に出力される音圧の量を増加させて音圧出力レベルを向上させる目的としても使用できるだけでなく、各音圧制御装置の用途をウーファ、ミッドレンジ、ツィーターのように区分し配列することによりフルレンジ(full range)音声再生能力を向上させることも可能である。即ち、音圧制御装置(40)でウーファ用で薄膜が形成されないワイヤの間の間隔の大きさを0.3 〜 0.5mmで設定し、ミッドレンジ用で0.2mm程度でし、ツィーターでワイヤの間の間隔を無くすか0.1mmで設定する。勿論、音声再生帯域は薄膜で封合しないワイヤの間の間隔だけでなく薄膜（45）で封合されるワイヤの間の間隔、即ち、薄膜の幅や厚さにより互いに異なる。なぜなら、薄膜の幅が薄くて大きいとワイヤの振動余裕度が増加して超低音に該当する大きい振幅の音声信号を再生することが出来る。
【００５９】
図5に示した構造では単一の導電性ワイヤをジグザグに複数列または行に配列したので、その長さが大きくなると抵抗の増加によるインピーダンスが極めて大きくなる問題がある。インピーダンスが大きくなりすぎるとワイヤに加えられた音声信号が一定部分を過ぎると抵抗によって消滅されて音声信号による磁界が発生されないので振動をすることが出来ない。
【００６０】
図16は、このような問題を解決するために音圧制御装置（40）のもう一つの構成を示した図として、導電性ワイヤを複数に分離し構成して音声信号を同時に各導電性ワイヤに印加するよう構成する。
【００６１】
また、図16において、複数行または列の導電性ワイヤ一端と他端の間に少なくとも一部分（47）を固定して複数のセルで音圧制御装置（40）を区分できる。これは、ワイヤが長すぎるので、ワイヤ中間の振動と両断部の振動が大きい偏差を有することを防止することである。また、ワイヤの振動は薄膜平面に同一な方向に圧縮する場合、その長さが長すぎるとそれだけ圧縮力もさらに大きくならなければならない。
【００６２】
図20は、図８の音声再生装置で用いられるマグネットの構造を示したもので、中央がオ−プンされた四角枠形状からなっている。このような四角枠の中央に開発された空間を通して音圧発生装置（20）から発生された音圧が通過し、これらの音圧は音圧制御装置（40）の封合されないワイヤの間を通過することになる。この際、マグネット（30）は中央のオ−プンされた空間に対応する音圧制御装置(40)全面にかけて均一な固定磁界を提供してワイヤを均一に振動させることが出来るが、マグネットの大きさが増加するほどオ−プン空間の正中央部分の磁界と最外郭部分の磁界に相当な差を表す問題が存在する。例えば、10cm×15cmのネオジム磁石を基準に周辺部の磁界強さが4000ガウス程度で、中央の磁界強さは1500ガウス程度で、その偏差が極めて大きい。
【００６３】
図21は大型のマグネットとしてもマグネット（30）の磁界が不均一な問題を惹起することを防止するための構造を示した図として、音圧制御装置（40）の構造は図8に示された構造と同一であるが、マグネット（30）に多数の音圧通過通路を形成したことが違う。即ち、図20においては、中央の大きい単一空間を通して音圧が通過するが、図21においては、多数の音圧通過通路を通して音圧が通過し、この音圧が隣接した音圧制御装置（40）を通して音声で再生されることである。このような構造は音圧通過通路に隣接したワイヤを可能な均一な状態で振動させることが出来るという長所がある。
【００６４】
図22乃至図22eは本発明によるマグネット（30）に形成する多様な構造の音圧通過通路を示した図で、それぞれ円形、四角形、五角形、六角形、長いスロット形の形状で製作することが出来る。
【００６５】
図23は、本発明によるマグネット（30）の音圧通過通路の形状を示したものとして、音圧の入口側から出口側へ行けば行くほど、段々狭くなる形状で構成されることが出来る。また、音圧の通路は気体力学的側面で角立つ部分にぶっつけられると騒音が発生するので、入口側及び出口側角にラウンド処理し、通路の形状は可能な限り、円形で形成するのが好ましい。
【００６６】
図20及び図22a-22eに開示されたマグネットは単一マグネット中央オ−プン部または多数の音圧通過通路を形成するものである。このようなマグネットは大型で製作するためには莫大な製造費用を必要とし、その形状を安価で自由に設計するものはフェライトやネオジム鉱石を材料で用いる特性上極めて難しい問題を有している。
【００６７】
図24a及び図24ｄは、本発明の実施例によるマグネット組立体構造を示した図で、多数の音圧通過通路を形成した支持板(49)に音圧通過通路周囲に多数の小さいマグネット片（30）を付着し形成したものである。このような構造は図24aのように平面形だけでなく、図24bの曲面形、図24cの凹凸形、図24dに円筒形等、多様な形状で製作することが可能である。図面には示さなかったが、球形状やドーム形状の構造で製作することも可能である。
【００６８】
図25a及び25bは、支持板(49)に音圧通過通路と類似な音圧通過孔をマグネット片に形成した後、支持板(49)の音圧通過孔とマグネットの音圧通過孔を一致させて付着した構造を示している。
【００６９】
図26は、本発明による音圧を用いた音声再生装置の構造を示したもので、音圧を発生する音圧発生装置（20）、前記音圧発生装置（20）から発生された音圧の通路役割をする容器(200)、この容器には音圧を排出するか吸入できるように一部が開放されて開放された部分に装着された音圧制御装置（40）からなっている。
【００７０】
音圧発生装置（20）と音圧制御装置（40）の間の容器内部は多数の間仕切りを通して多数区域に分割されており、これらの区域は互いに通じているので、音圧の通路(201,202,203)を形成している。また、各区域の内部にはスポンジ等のような吸音材(220)を付着して音圧発生装置（20）から発生された騒音を吸収することが出来る。前述したように、容器(200)の内部を多数区域に分けて音圧通路を長くし、各区域表面に吸音材を付着することは音声再生装置の特性上騒音を減らすことが必ず必要であるためである。
【００７１】
また、図26に示されたように、容器を延長して音圧発生装置（20）の下部にも多数の区域に分けて音圧発生装置から吸入または排出される音圧の通路（205,206）を形成することにより、音圧排出孔(99)を通して排出される音圧発生装置の騒音を外部と遮断させるのが好ましい。
【００７２】
図27は、本発明による円筒形の無指向性音声再生装置の構造を示した図で、図26の構造で容器(200)が円筒形で形成され、上記容器(200)の円筒縁の全体にかけて一定幅で開放させた後、円筒形の音圧制御装置（40）を装着し構成される。
【００７３】
この際、図29及び図24dに示されたように、多数の音圧通過孔(100)が形成された円筒形状で形成されたマグネットまたはマグネット組立体（30）が用いられる。結果的に、音圧発生装置（20）から発生された音圧が放射状に排出または吸入されて無指向性音声再生装置を構成することが出来る。
【００７４】
図28は、本発明の異なる実施例による無指向性音声再生装置の構造を示した図で、図26の構造で容器(200)が六角筒形で形成され、前記容器(200)の各面を一定幅で開放させた後、六つの平面形音圧制御装置(40)を各面の開放された部分に装着し構成される。この際、図30に示されたように、多数の音圧通過孔(100)が形成された多角形マグネット（30）は六つの平面マグネットまたはマグネット組立体（30）を組合し形成することが出来る。同様に、音圧発生装置（20）で発生された音圧が多角筒形の各面を通して排出または吸入されて無指向性音声再生装置を構成することが出来る。
【００７５】
図31は、本発明の異なる実施例による音声再生装置の構造を示した図で、図26の構造で容器(200)が円筒形で形成され、前記容器(200)の円筒縁の1/2にかけて一定幅で開放させた後、半円筒形の音圧制御装置（40）を装着し構成される。この際、マグネット（未図示）は多数の音圧通過孔が形成された円筒形状で形成されたものが用いられる。結果的に、音圧発生装置（20）で発生された音圧が半円筒面を通って放射状に排出または吸入されて音声再生角度を拡大することが出来る。
【００７６】
図32は、本発明のもう一つの実施例による半円筒形の音声再生装置の構造を示した図で、図26の構造で容器(200)が半円筒形で形成され、前記容器(200)の半円筒曲面にかけて一定幅で開放させた後、半円筒形の音圧制御装置（40）を装着し構成される。この際、マグネット（未図示）は多数の音圧通過孔が形成された円筒形状で形成されたものが用いられる。結果的に、音圧発生装置（20）から発生された音圧が半円筒面を通って放射状に排出または吸入されて音声再生角度を拡大することが出来る。
【００７７】
図26及び図32に示されたように、音圧制御装置（40）を平面形及び半円筒形で製作する代わりにドーム形状（未図示）で形成することも可能である。
【００７８】
図33a乃至図33cは、本発明による音圧発生装置（20）の実施例を示した図である。
【００７９】
図33aはファン(501)が付着されたモーターまたはソレノイド(500)一つを装着して音圧発生装置（20）を構成したもので、ファン(501)の回転により音圧を発生することになる。
【００８０】
図33bはファン(501)が付着された小型モーターまたはソレノイド(500)を多数個一列に配置して音圧発生装置（20）を構成し示したもので、平板形音声再生装置に適用するに好ましい。
【００８１】
図33cは長いファン支持軸（502）の長さ方向に長い羽を有するファン(501)を有するモーターまたはソレノイド(500)を配置して音圧発生装置（20）を構成し示したもので、幅の狭い平板形音声再生装置に適用するに好ましい。
【００８２】
図34及び35は、本発明の異なる実施例による音圧発生装置（20）を適用した音声再生装置及び音圧発生装置を示したもので、音圧発生装置（20）は一定空間内で往復運動する空気圧縮部(300)、前記空気圧縮部(300)を往復運動させる駆動部（図36の310）、前記空気圧縮部(300)が一方向に前進する際、圧縮された空気（音圧）を前記一定空間の外に排出する排出バルブ(301)及び前記空気圧縮部(300)が反対方向に後退する際、外部空気を前記一定空間内に吸入する吸入バルブ(302)からなる。
【００８３】
また、前記空気圧縮部(300)が前進する際、排出バルブ(301)が動作し、同時に空気圧縮部(300)の進行方向の反対側空間で吸入バルブ(304)が動作し、前記空気圧縮部(300)が後退する際、排出バルブ(303)が動作し、同時に空気圧縮部(300)の進行方向の反対側空間で吸入バルブ(302)が動作するよう構成すれば好ましい。
【００８４】
図36に示されたように、往復運動による音圧の発生装置を二つの並列に配置すれば、より均一な音圧を発生することが可能である。
【００８５】
図37は、騒音や振動が激しいモーターやソレノイド(500)を用いた音圧発生装置（20）を用いる際、発生された騒音や振動が外部に伝達されることを防止できる構造を示したものである。モーターやソレノイド(500)を弾性体のような紐(510)で一定空間（505）に浮かべて設置し、モーター(500)に装着されたファン（未図示）から発生された空気（音圧）をゴムのような弾性材料で製作した襞管(520)を通して吸入または排出するものである。このように構成すると、モーターやソレノイド(500)の振動や騒音が容器を介して外部に伝達されることを最小化することが出来る。
【産業上の利用可能性】
【００８６】
以上で詳細に説明したように、本発明によると、音声再生システムの音響が外部で放射される際、ダンパと振動板、そしてセンターキャップ等、別途の振動源を削除することにより、振動源による振動音が発生されるのを未然に防止して自然音に近い音を再生することが出来るという特徴がある。
【００８７】
また、本発明は、音圧制御のための振動構造を単純化することにより、大量生産が容易で、かつ、その値段を安価にすることにより、高音質の音声再生システムを大衆化できる効果がある。
【００８８】
本発明によると、音圧を用いた音声再生システムにおいて、マグネット（30）の構造を改善することにより、経済的に音声再生システムの形状を多様に設計できるだけでなく大型の構造においても音圧制御装置の全面にかけて均一に音圧を制御できる効果がある。
【００８９】
本発明によると、音圧を用いた音声再生システムを円筒形、半円筒形、多角筒形及びドーム形で製作できるので、音声再生装置に発生された音声を無指向性で放出することが可能である
また、音圧の通路を多数の区域に分割し、各区域の表面に吸音材を付着するか、音圧発生装置を弾性体紐を用いて空間に吊る形態で構成して騒音や振動を最小化できる効果がある。
【００９０】
特に、音圧発生装置の構造を多様な形態で構成することにより、平板形音声再生装置を具現することが出来る。
【００９１】
今までは本発明の好ましい実施例について詳細に説明したが、実施例で適用した形態や構造に限定されず、当分野において通常の知識を有する者により多様に変形使用が可能である。
【図面の簡単な説明】
【００９２】
【図１】一般的スピーカの一例を示した断面図である。
【図２】従来のスピーカの動作特性に対する波形図である。
【図３】従来の異なるスピーカ構造を示した断面図である。
【図４】本発明による音圧を用いた音声再生システムの断面構成図である。
【図５】本発明による音圧制御装置の要部を詳細に示すための一部抜粋し拡大した斜視図である。
【図６ａ】本発明による音圧制御装置の動作状態を示すための断面図である。
【図６ｂ】本発明による音圧制御装置の動作状態を示すための断面図である。
【図７】本発明による音圧を用いた音声再生システムの異なる実施例を示した断面図である。
【図８】本発明によるもう一つの実施例による音声再生システムを示した図である。
【図９】図8の音圧制御装置の分解図である。
【図１０】本発明の異なる実施例による音圧制御装置の構造を示した図である。
【図１１】(a)乃至(c)は各々図10の薄膜平面の異なる例を示した図であり、(d)は図6aの薄膜平面の異なる例を示した図である。
【図１２】薄膜支持体の断面形状を示した図である。
【図１３】本発明によるワイヤテンション調節装置の構成を示した図である。
【図１４】本発明によるワイヤ間隔調節装置の構成を示した図である。
【図１５】本発明のもう一つの実施例による音声再生システムの構造を示した図である。
【図１６】本発明による音圧制御装置の異なる実施例を示した図である。
【図１７】本発明の異なる実施例による導電性ワイヤ構造を示した図である。
【図１８】本発明の異なる実施例による薄膜構造を示した図である。
【図１９】本発明のもう一つの実施例による薄膜構造を示した図である。
【図２０】図8の音圧制御装置に用いられるマグネットを示した図である。
【図２１】本発明の異なる実施例による音声再生装置の音圧制御装置の分解図である。
【図２２ａ】本発明によるマグネットの実施例を示した図である。
【図２２ｂ】本発明によるマグネットの実施例を示した図である。
【図２２ｃ】本発明によるマグネットの実施例を示した図である。
【図２２ｄ】本発明によるマグネットの実施例を示した図である。
【図２２ｅ】本発明によるマグネットの実施例を示した図である。
【図２３】本発明の異なる実施例によるマグネットの音圧通過通路の構造を示した図である。
【図２４ａ】本発明の異なる実施例によるマグネット組立体構造を示した図である。
【図２４ｂ】本発明の異なる実施例によるマグネット組立体構造を示した図である。
【図２４ｃ】本発明の異なる実施例によるマグネット組立体構造を示した図である。
【図２４ｄ】本発明の異なる実施例によるマグネット組立体構造を示した図である。
【図２５ａ】本発明のもう一つの実施例によるマグネット組立体構造を示した図である。
【図２５ｂ】本発明のもう一つの実施例によるマグネット組立体構造を示した図である。
【図２６】本発明の実施例による音圧を用いた音声再生装置の構造を示した図である。
【図２７】本発明による円筒形の無指向性音声再生装置の構造を示した図である。
【図２８】本発明の異なる実施例による無指向性音声再生装置の構造を示した図である。
【図２９】図27の音声再生装置に用いられるマグネット構造を示した図である。
【図３０】図28の音声再生装置に用いられるマグネット構造を示した図である。
【図３１】本発明のもう一つの実施例による音声再生装置の構造を示した図である。
【図３２】本発明のもう一つの実施例による半円筒形の音声再生装置の構造を示した図である。
【図３３ａ】本発明による音圧発生装置の構造を示した図である。
【図３３ｂ】本発明による音圧発生装置の構造を示した図である。
【図３３ｃ】本発明による音圧発生装置の構造を示した図である。
【図３４】本発明の異なる実施例による音圧発生装置を適用した音声再生装置を示した図である。
【図３５】図34の音圧発生装置を示した図である。
【図３６】二つの音圧発生装置を並列に示した図である。
【図３７】振動及び騒音防止のための音圧発生装置の装着構造を示した図である。
【符号の説明】
【００９３】
２０  音圧発生部
３０  マグネット
４０  音圧制御装置
４１  枠
４２  ワイヤ間隔
４３  音声信号入力端子
４４  ワイヤ
４５  薄膜
５０  第1プレート
５１  第１センターポールヨーク
６０  第２プレート
６１  第２センターポールヨーク
【図２】
2004537937.tif 000003
【図７】
2004537937.tif 000004
【図１０】
2004537937.tif 000005
【図２３】
2004537937.tif 000006
【国際公開パンフレット】
2004537937.tif 000007
2004537937.tif 000008
2004537937.tif 000009
2004537937.tif 000010
2004537937.tif 000011
2004537937.tif 000012
2004537937.tif 000013
2004537937.tif 000014
2004537937.tif 000015
2004537937.tif 000016
2004537937.tif 000017
2004537937.tif 000018
2004537937.tif 000019
2004537937.tif 000020
2004537937.tif 000021
2004537937.tif 000022
2004537937.tif 000023
2004537937.tif 000024
2004537937.tif 000025
2004537937.tif 000026
2004537937.tif 000027
2004537937.tif 000028
2004537937.tif 000029
2004537937.tif 000030
2004537937.tif 000031
2004537937.tif 000032
2004537937.tif 000033
2004537937.tif 000034
2004537937.tif 000035
2004537937.tif 000036
2004537937.tif 000037
2004537937.tif 000038
2004537937.tif 000039
2004537937.tif 000040
2004537937.tif 000041
2004537937.tif 000042
2004537937.tif 000043
2004537937.tif 000044
2004537937.tif 000045
2004537937.tif 000046
2004537937.tif 000047
2004537937.tif 000048
2004537937.tif 000049
2004537937.tif 000050
2004537937.tif 000051
2004537937.tif 000052
2004537937.tif 000053
2004537937.tif 000054
2004537937.tif 000055
2004537937.tif 000056
2004537937.tif 000057
2004537937.tif 000058
2004537937.tif 000059
2004537937.tif 000060
2004537937.tif 000061
2004537937.tif 000062
2004537937.tif 000063
2004537937.tif 000064
2004537937.tif 000065
2004537937.tif 000066
2004537937.tif 000067
2004537937.tif 000068
2004537937.tif 000069
2004537937.tif 000070
2004537937.tif 000071
2004537937.tif 000072
【国際調査報告】
2004537937.tif 000073